(57)【要約】【課題】開封後に、使用期間中に香りの変化が少なく、かつ長期間継続して香りを漂わせることができる芳香袋を提供する。【解決手段】香料をゼリー状物質又は熱可塑性エラストマー組成物に含有させて得たゼリー状芳香剤を通気性袋に封入してなる芳香袋。【選択図】なし【特許請求の範囲】
【請求項１】
香料をゼリー状物質又は熱可塑性エラストマー組成物に含有させて得たゼリー状芳香剤を通気性袋に封入してなる芳香袋。
【請求項２】
前記芳香袋が更に非通気性の包装袋に封入されてなる請求項１に記載の芳香袋。
【請求項３】
通気性袋が通気性熱可塑性樹脂を成形して得たフィルム、もしくはこれの微多孔膜である請求項１又は２に記載の芳香袋。
【請求項４】
通気性袋が低密度ポリエチレンフィルム、又はこれに印刷を施した通気性袋である請求項１ないし３のいずれかに記載の芳香袋。
【請求項５】
通気性袋が低密度ポリエチレンフィルムとその外側に熱可塑性樹脂からなる不織布を融着又は接着させた、多層構造である請求項１ないし４のいずれかに記載の芳香袋。
【請求項６】
通気性袋が低密度ポリエチレンフィルムとその外側に、不織布、合成紙又はパルプ紙を積層させた、多層構造である請求項１ないし５のいずれかに記載の芳香袋。
【請求項７】
通気性袋を構成する低密度ポリエチレンフィルムの厚みが１０〜１００μｍである請求項１ないし６のいずれかに記載の芳香袋。
【請求項８】
前記芳香袋を更に切り欠き部を有するか、又は粘着性シール部を有するポリプロピレン製単層袋又はポリプロピレン／ポリアミド６積層袋に挿入してなる請求項１ないし７のいずれかに記載の芳香袋。
【請求項９】
非通気性の包装袋がアルミフィルムもしくはアルミ蒸着膜からなる単層構造、またはアルミフィルムもしくはアルミ蒸着膜を少なくとも１層含む多層構造である請求項１ないし８のいずれかに記載の芳香袋。
【請求項１０】
香料が天然香料、合成香料、もしくは香気を発生する物質から選ばれた１種以上である請求項１ないし９のいずれかに記載の芳香袋。
【請求項１１】
ゼリー状芳香剤が液体または固体状態の香料をゼリー状物質又は熱可塑性エラストマー組成物に溶解、分散、又は懸濁させたものである請求項１ないし１０のいずれかに記載の芳香袋。
【請求項１２】
ゼリー状物質又は熱可塑性エラストマー組成物がスチレン系熱可塑性エラストマー組成物、ポリオレフィン系熱可塑性エラストマー、ポリウレタン系熱可塑性エラストマーから選ばれる１種以上を含むことを特徴とする請求項１ないし１１のいずれかに記載の芳香袋。
【請求項１３】
熱可塑性エラストマー組成物がスチレン系熱可塑性エラストマーを含むゾル状又はゲル状の組成物である請求項１２に記載の芳香袋。
【請求項１４】
ゼリー状芳香剤が前記ゼリー状物質又は熱可塑性エラストマー組成物に対し、香料を０．２〜３質量倍に相当する量配合し、撹拌して得られたゼリー状物質である請求項１ないし１３のいずれかに記載の芳香袋。
【請求項１５】
請求項１ないし１４のいずれかに記載の芳香袋を模様紙にはさみこみ、更にポリプロピレン製単層袋又はポリプロピレン／ポリアミド６積層袋に挿入して得た放香性カード。
【請求項１６】
請求項１ないし１４のいずれかに記載の芳香袋をキャラクターが描かれた紙にはさみこみ、更にポリプロピレン製単層袋又はポリプロピレン／ポリアミド６積層袋に挿入して得た放香性小物。
【発明の詳細な説明】
【０００１】
【発明の属する技術分野】
本発明は、軽くて携帯に便利な、長期間香りを持続できる芳香袋に関する。
【０００２】
【従来の技術】
従来、携帯用芳香袋は、芳香剤を包む外装の一部を破るか、密封した一部に穴を開けておき、穴をシールで塞ぎ、使用時にシールを剥ぐことにより香りを調整した。または芳香液をカプセルの中から潰して出すことで使用する方法、芳香液を担体に分散させてゲル状で使用する方法等が知られていた。
【０００３】
すなわち、内部に揮発性の高い液体香料を含浸した担体を密封し、開封することによって液体香料を短期間で揮散させる芳香具が開示されている（特許文献１参照）。該芳香具は、香料による香りを変化させないために、数時間〜１週間程度の短期間使用するのに適した芳香具であり、例えばアルミラミネートフィルム等の可撓性シート部材を介して開封可能とすることができる。しかし、長期間継続して香りを漂わせることができないという欠点がある。
【０００４】
また、香料を含浸した担体を周縁部がシール接合された扁平な形状の芳香袋に封入し、該芳香袋の周縁部に設けられたＶ字形のノッチ引裂くことにより、開封して使用する芳香袋も知られている（特許文献２参照）。しかし、香りの強さを調整や、長期間継続して香りを漂わせることができないという欠点がある。
更に、保湿性の高い芳香シートを外装材で四方を密封して収納し、使用時は外装袋の中央部を押しピンで軽く穴を開け、その穴数によって香りの調整をする携帯用芳香袋も開示されている（特許文献３参照）。しかしながら、この携帯用芳香袋穴の大きさ等により香りの強さが変化するので実際に香りの強さを調整することは困難である。
【０００５】
更に、比較的長時間にわたって、天然植物精油の香りを屋内空間に放出できる手段として、スチレン系熱可塑性エラストマーに、軟化剤及び／又は可塑剤を配合して製造される組成物に天然植物精油を混合して調製される均一なゼリー状組成物が開示されている（特許文献４参照）。この場合、天然植物精油を単独で使用する場合の放香の持続時間数時間を、該使用方法で使用することにより、放香の持続時間を数日間に延長すること可能となる。
【０００６】
【特許文献１】
特開２０００−２２９０１２号公報
【特許文献２】
特開２００２−１４５３６７号公報
【特許文献３】
特開２００３−１０２８２３号公報
【特許文献４】
特開２００３−１９０２６７号公報
【０００７】
【発明が解決しようとする課題】
上記いずれの公知の芳香袋等も長期間にわたって継続して香りを漂わせることができないという欠点があり、また、香りの強さも調整できないという問題点があった。従って本発明の目的は、開封後に、使用期間中に香りの変化の少なく、かつ長期間継続して香りを漂わせることができる芳香袋を提供することにある。
【０００８】
【課題を解決するための手段】
本発明者は、上記課題を解決するために鋭意検討した結果、香料担体としてゼリー状物資又は熱可塑性エラストマー組成物を用い、香料をゼリー状物質又は熱可塑性エラストマー組成物に含有させてゼリー状物資として、通気性袋に封入することにより一定の香りを長期間継続して香りを漂わせることができることを見出し、本発明を完成させることができた。
すなわち、本発明は、香料をゼリー状物質又は熱可塑性エラストマー組成物に含有させて得たゼリー状芳香剤を通気性袋に封入してなる芳香袋に関する発明である。
【０００９】
本発明の態様においては、
（１）前記芳香袋が更に非通気性の包装袋に封入されてなること、
（２）通気性袋が通気性熱可塑性樹脂を成形して得たフィルム、もしくはこれの微多孔膜であること、
（３）通気性袋が低密度ポリエチレンフィルム、又はこれに印刷を施した通気性袋であること、
（４）通気性袋が低密度ポリエチレンフィルムとその外側に熱可塑性樹脂からなる不織布を融着又は接着させた、多層構造であること、
（５）通気性袋が低密度ポリエチレンフィルムとその外側に、不織布、合成紙又はパルプ紙を積層させた、多層構造であること、
（６）通気性袋を構成する低密度ポリエチレンフィルムの厚みが１０〜１００μｍであること、
（７）前記芳香袋を更に切り欠き部を有するか、又は粘着性シール部を有するポリプロピレン製単層袋又はポリプロピレン／ポリアミド６積層袋に挿入してなること、
（８）非通気性の包装袋がアルミフィルムもしくはアルミ蒸着膜からなる単層構造、またはアルミフィルムもしくはアルミ蒸着膜を少なくとも１層含む多層構造であること、
（９）香料が天然香料、合成香料、もしくは香気を発生する物質から選ばれた１種以上であること、
（１０）ゼリー状芳香剤が液体または固体状態の香料をゼリー状物質又は熱可塑性エラストマー組成物に溶解、分散、又は懸濁させたものであること、
（１１）ゼリー状物質又は熱可塑性エラストマー組成物がスチレン系熱可塑性エラストマー組成物、ポリオレフィン系熱可塑性エラストマー、ポリウレタン系熱可塑性エラストマーから選ばれる１種以上を含むこと、
（１２）熱可塑性エラストマー組成物がスチレン系熱可塑性エラストマーを含むゾル状又はゲル状の組成物であること、
（１３）ゼリー状芳香剤が前記ゼリー状物質又は熱可塑性エラストマー組成物に対し、香料を０．２〜３質量倍に相当する量配合し、撹拌して得られたゼリー状物質であることが好ましい。
【００１０】
また、本発明は、前記芳香袋を模様紙にはさみこみ、更にポリプロピレン製単層袋又はポリプロピレン／ポリアミド６積層袋に挿入して得た放香性カードに関する発明である。
更に、本発明は、前記芳香袋をキャラクターが描かれた紙にはさみこみ、更にポリプロピレン製単層袋又はポリプロピレン／ポリアミド６積層袋に挿入して得た放香性小物に関する発明である。
【００１１】
【発明の実施形態】
以下に本発明を詳述する。
（１）香料
本発明で使用する香料は、特に制限はなく、広く香りを発するものであればよく、人にとって好ましい香りである天然香料、合成香料、もしくは香気を発生する物質、およびこれらの調合香料、並びに人の汗、自動車等の消臭剤、虫に対する忌避剤等も広く含まれる。
これらの香料は、液状、及び粉末等の固体の単品又はこれらの混合物でもよい。
天然の精油としては、シトラス、サンダルウッドのほか、ローズマリー、ペパーミント、ラベンダー等のシソ科植物、ユーカリ、ティートウリー等のフトモモ科植物、レモン等のミカン科植物、シーダーウッド、イランイラン、ゼラニウム、ローズウッドといったハーブから抽出したエッセンシャルオイル等を使用することができる。
【００１２】
又、ハーブとしては、丁字、ハリエニシダ、甘草、ジャスミン、カエデ、銀杏、レタス、ビーツ、ロゴート、茶、チョウセンニンジン、カミルレ、シナモン、ペパーミント、セージ、タイム、ローズマリー、ラベンダー、ユーカリの木等を使用することができる。
合成香料としては、α−ピネン、リモネン、ゲラニオール、リナロール、ラバンジュロール、ネロリドール等からなる調合香料が例示できる。
また、消臭剤としてはスキンケア、虫に対する忌避剤としては蚊の忌避剤（Ｎ，Ｎ−ジエチルトルアミド（ＤＥＥＴ））、ゴキブリの忌避剤等が挙げられる。
【００１３】
（２）ゼリー状芳香剤
本発明のゼリー状芳香剤とは、前記香料をゼリー状物質又は熱可塑性エラストマー組成物に含有させて得た、高粘度液状物質、またはコロイド液全体が分散媒を含んだまま流動性を失い弾力的なかたまりとなった状態のものをいう。
（２−１）ゼリー状物質
本発明で前記香料の担体として使用するゼリー状物質は、特に制限はなく前記香料を含有させることができる物質であれば広く使用できる。
例えば、ゼリー状物質の原料として、ゼラチン、寒天、カラギナン、ファーセレラン、ジェランガム、ネーティブジェランガム、アルギン酸及びその塩類、乳清蛋白、植物性蛋白、アゾトバクタービネランジーガム、デンプン、グルコマンナン、カードラン、グアーガム、ローカストビーンガム、タラガム、カラヤガム、キサンタンガム、サイリウム、タマリンドガム、アラビアガム、プルラン、ペクチン、及びセルロース誘導体のうちいずれか１以上を含むものが例示できる。これらの物質は、加水処理等によりゲル化するように調整されているものでもよい。
【００１４】
更に、ゼリー状物質として、有機酸モノグリセリド塩、油性成分、及び水性成分を含有するゲル状組成物も使用可能である。
また、炭素数が８〜２２のジアルキル燐酸エステル又はその誘導体のアルミニウム塩、ステアリン酸グリセリンエステル等を用いた油ゲル等が挙げられる。
さらに、本発明に係るゼリー状物質の原料には、糖類及びセルロースのうち１以上がさらに含まれていいてもよく、糖類として、例えばグルコース、フラクトース、ソルビトール、エリスリトール、ガラクトース、マンニトール、キシリトール、パラチノース、シュクロース、マルトース、ラクトース、トレハロース、オリゴ糖類、デキストリンなどがあり、セルロースには、例えば結晶セルロース、メチルセルロース、ＣＭＣ、ＣＭＣ−Ｃａ、ＣＭＣ−Ｎａ、ヒドロキシプロピルセルロース、ヒドロキシプロピルメチルセルロースなどが例示できる。
【００１５】
さらに、本発明に係るゼリー状物質の原料は、ゲル化される前の乾燥された状態で成形されていてもよい。
また、本発明に係るゼリー状組成物の原料に使用されるゼラチン等の糊料は、特に加水処理（加湿処理を含む）、加熱処理又は解凍処理により容易に溶けて、低水分下及び高糖度溶液でも溶解するものでもよい。
【００１６】
（２−２）熱可塑性エラストマー組成物
本発明で熱可塑性エラストマー組成物を前記香料の担体として用いることができる。すなわち、熱可塑性エラストマー組成物に前記香料を適当量加えて撹拌し、かつ流動性を保つ程度の粘度を有するものをゼリー状芳香剤として用いることができる。この場合、使用可能な熱可塑性エラストマーとして、例えばスチレン系熱可塑性エラストマー、ポリオレフィン系エラストマー、ポリウレタン系熱可塑性エラストマーが挙げられる。熱可塑性エラストマー組成物としてはこのような熱可塑性エラストマーに軟化剤、可塑剤等を配合してゾル状又はゲル状の組成物とすることができる。
尚、前記軟化剤としてはパラフィンオイル等が、可塑剤としては低分子量共役ジエン系重合体の水素添加物が例示できる。
【００１７】
（２−３）ゼリー状芳香剤
本発明のゼリー状芳香剤とは、香料をゼリー状物質又は熱可塑性エラストマー組成物に含有させたものをいい、具体的には、香料が液体または固体状態である香料をゼリー状物質又は熱可塑性エラストマー組成物に溶解、分散、又は懸濁等させたものであればよい。香料が液体の場合は、香料がゼリー状物質に溶解しているか、分散または懸濁していればよく、必ずしも均一に溶解している必要はない。
香料が単体では粉末等の固体状態であるときは、ゼリー状物質又は熱可塑性エラストマー組成物に分散していればよく、また、ゼリー状物質又は熱可塑性エラストマー組成物に一部もしくは全部溶解するものであってもよい。
本発明の香料袋は、液体又は固体の香料がゼリー状物質又は熱可塑性エラストマー組成物内を透過してその外表面に到達してから、該外表面より気化または昇華して香りを漂わせるので、長期間継続して香りを漂わせるためには、芳香袋の使用開始から使用期間を考慮して、香料とゼリー状物質又は熱可塑性エラストマー組成物の組み合わせが適宜選択できる。
【００１８】
ゼリー状芳香剤中の香料の含有割合は、特に制限はなく、香料本来の香りの強さ、ゼリー状物質へ溶解、分散、又は懸濁等させる際の加工性、芳香袋の使用期間、芳香袋の大きさ等を考慮して選択されるが、通常ゼリー状芳香剤中の香料の含有割合は、前記ゼリー状物質又は熱可塑性エラストマー組成物に対し、香料を０．２〜３質量倍、好ましく０．３〜２質量倍、特に好ましく０．３〜１．５質量倍に相当する量である。
また、ゼリー状芳香剤中には、例えば、安定剤、乳化剤、防腐剤などを所望に応じて添加することができる。安定剤としては、アスコルビン酸、トコフェロールなどを挙げることができる。乳化剤としては、ポリソルベート８０、ポリビニルアルコール、ラウリル硫酸ナトリウムなどを挙げることができる。分散剤として、カルボキシメチルセルロース、アルギン酸ナトリウム、ヒドロキシプロピルセルロース、ヒドロキシエチルセルロースなどの水溶性高分子類を挙げることができる。また、防腐剤としては、安息香酸ナトリウム、パラオキシ安息香酸エチル、パラオキシ安息香酸プロピルなどを挙げることができる。
【００１９】
本発明のゼリー状芳香剤は、下記の方法で製造できる。
まず、ゼリー状物質又は熱可塑性エラストマ−組成物を容器に適量とり、次いで、香料を加えてよく撹拌する。香料の配合は、ゼリー状芳香剤が全体としてほぼ均一状態となり、かつ流動性を保つ程度の粘度となるように配合することが望ましい。
【００２０】
（３）通気性袋
本発明のゼリー状芳香剤を封入する通気性袋に使用する通気性包装材料（Ａ）は、使用時にゼリー状芳香剤が通気性袋から直接漏れるのを防止すると共に、ある程度香料を透過する機能を有するものである。更に、通気性包装材料（Ａ）として透湿性の低いものが望ましい。
従って、芳香剤が通気性袋から漏れるのを防止するためには、通気性包装材料（Ａ）が適当な機械的強度が必要であり、さらに香料の透過性を制御するためには香料に対する適当な透過度を有する（ｉ）熱可塑性樹脂を成形して得たフィルム、（ｉｉ）熱可塑性樹脂を成形して得たフィルムに印刷を施したもの、（ｉｉｉ）熱可塑性樹脂を成形して得たフィルム・シートの微多孔膜、（ｉｖ）熱可塑性樹脂製フィルムに不織布を融着、接着等によりラミネートしたもの、（ｖ）熱可塑性樹脂製フィルムに不織布、合成紙又はパルプ紙の積層（重ね合わせたもの）等を使用することができる。
上記（ｉｉ）で印刷を施すのは外観性向上のため、（ｉｖ）及び（ｖ）で不織布等でラミネートしたり、パルプ紙等で積層するのは機械的強度及び外観性を向上するためである。また、通気性包装材料（Ａ）と他の通気性を有するフィルム等との多層構造として通気性を調節することもできる。
【００２１】
上記熱可塑性樹脂を成形して得たフィルムとしては、通常の熱可塑性フィルムを使用することができるが、窒素ガス、酸素ガス、炭酸ガスの透過性、は、一般に低密度ポリエチレン、二軸延伸ポリプロピレン、二軸延伸ナイロン６、二軸延伸ポリエチレンテレフタレートのフィルムの順に低下する。これらの中で、低密度ポリエチレンフィルムのガス透過性が著しく高い。一方、透湿性は前記フィルムの中で低密度ポリエチレンと二軸延伸ポリプロピレンが極めて低い。
従って、上記熱可塑性樹脂の物理的性質から、本発明で使用する熱可塑性樹脂製フィルムとしては低密度ポリエチレン製フィルムを使用するのが望ましい。
低密度ポリエチレンは、好ましくは、高圧重合法により生産された通常その密度が０．９１０〜０．９２５程度のものであり、低密度ポリエチレンの使用により熱成形性、ヒートシール性などが改善される。
また、低密度ポリエチレンは、１９０℃、２．１６ｋｇ荷重で測定したメルトフローレート値（ＡＳＴＭ  Ｄ１２３８によるＭＦＲ）が０．１〜１０ｇ／１０分の範囲であるものが好ましい。
ＭＦＲが前記０．１ｇ／１０分以上で成形時の溶融性とシール性が向上し、またＭＦＲが１０ｇ／１０分以下で成形加工性をより良好に維持できる。
尚、香料の透過度を減少させるにはこれらの樹脂にガスバリヤー性樹脂、たとえば、エチレン−ビニルアルコール共重合体、ポリメタキシリレンアジパミド等を配合して調節することもできる。
【００２２】
前記上記熱可塑性樹脂を成形して得たフィルムの厚みは特に制限はなく、香料の透過性、フィルムの強度等から適宜定められるが、低密度ポリエチレンを使用した場合は、フィルムの厚みは、主に香料の透過性を考慮して８〜１００μｍ、好ましくは１０〜８０μｍ，特に好ましくは１５〜６０μｍの範囲で使用するのが好ましい。
【００２３】
上記（ｉｉｉ）熱可塑性樹脂を成形して得たシート、フィルムの微多孔膜として、特に制限はないが下記のものを例示することができる。
ポリエチレン又はポリプロピレンからなり、ガ−レ−式透気度が０．１〜１０，０００秒／１００ｍｌである常圧で水を通さない微多孔膜であるプラスチックフィルムとして、ポリエチレン、ポリプロピレンなどの合成樹脂フィルムを延伸して製造されるものが例示できる。これらのフィルムは製造の際、シリカ、タルク、炭酸カルシウム等の微粉末を添加してフィルムを延伸し、微粉末を含有するフィルムから微粉末を抽出するなどの方法により製造され、孔径が０．０１〜３０μｍの微細孔を有しするものが使用できる。具体的には、ＮＦシート（徳山曹達（株）製）、ポーラム（徳山曹達（株）製）、セルポア（積水化学工業（株）製）、ＦＰ−２（旭化成工業（株）製）、ＮＯＰ（日本石油化学（株）製）、ニトフロンＮＴＦ（日東電気工業（株）製）、ポリフロンペーパー（ダイキン工業（株）製）、ジュラガード（セラニーズ社製）、ゴーアテックス（ゴア社製）、ＴＳＦ（興人（株）製）等が例示できる。
【００２４】
上記（ｉｖ）熱可塑性樹脂もしくは紙を加工して得た不織布として下記のものが例示できる。
ポリエチレン若しくはポリプロピレンからなり、ガ−レ−式透気度が０．０１〜１０，０００秒／１００ｍｌである常圧で水を通さない不織布としては、ポリエチレン若しくはポリプロピレンからなる連続した極めて細かい交錯した繊維の束を紡糸した上で加熱加圧することにより繊維どうしを接合して得られる不織布であり、例えば、タイベック（デュポン社製）、ルクサー（旭化成（株）製）などが例示できる。また、パルプまたは綿を加工して得られる不織布も使用可能である。
【００２５】
不織布又は微多孔膜の片面に、不織布又は微多孔膜と同等以下の軟化点を有する通気性樹脂を積層することもできる。
前記、不織布又は多孔膜と同等以下の軟化点を有する樹脂としては、例えば、ポリエチレン、エチレン−酢酸ビニル共重合体、アイオノマー樹脂、ポリプロピレンなどから選ばれた一種又は二種以上の樹脂であり、これらを３００℃程度に熔融し、押し出しラミネート加工や塗布などの手法により、前記不織布又は微多孔膜の片面上に施すことができる。
このようにして形成された筋状の樹脂部は、包装材料の補強、香料の透過度の調節とともに、製袋する際の接着層（シール層）としても機能する。シール方法としては、ヒートシール、接着剤によるシールなどがある。
【００２６】
（４）非通気性包装袋
本発明の芳香袋は使用が開始されるまで、非通気性の包装袋に封入しておくのが望ましい。非通気性の包装袋に使用できる非通気性包装材料（Ｂ）は、使用開始までに芳香剤中の香料が非通気性の包装袋から透過して逸散するのを防止すると共に、芳香剤を封入した通気性袋を保護するために、非通気性、機械的強度、及び防水性が必要とされる。
非通気性包装材料（Ｂ）としては、上記機能を有するものであればとくに制限されるものではないが、具体的には熱可塑性ポリエステル樹脂、ポリカーボネート樹脂、ポリアクリロニトリル樹脂、ポリオレフィン樹脂、ポリ塩化ビニル樹脂等の熱可塑性樹脂；アルミフィルムまたはアルミ蒸着膜が挙げられる。
これらの中でも、非通気性の包装袋がアルミフィルムもしくはアルミ蒸着膜からなる単層構造、またはアルミフィルムもしくはアルミ蒸着膜を少なくとも１層含む多層構造のものが望ましい。
また、上記非通気性の積層フィルムの最内層に低温ヒートシール性の良好なシーラントフィルムを積層して使用することもできる。尚、非通気性の包装袋は、融着、接着、圧着等によりシールすることができる。
また、非通気性の包装袋の開口部の切り口は直線カット性を有するものが望ましい。
【００２７】
（５）その他包装材
本発明の芳香袋を商品価値の向上と、実用性の点からも、該芳香袋を透明なポリプロピレン単層袋、ポリプロピレン／ポリアミド６多層袋等に挿入して使用することができる。この場合、これらの単層袋、多層袋の開口部に少なくとも１つの切り込み部を設けたり、又は粘着シール可能とすることができる。
実際の使用に際しては、前記開口部全体を開口して使用すると、長期間ほぼ一定の放香が持続できる。この持続時間は、香料の量、芳香袋の表面積、及び包材の開口面積により多少相違するが、前記した実用的な好ましい態様によれば、殆どの場合、少なくとも２〜３カ月の期間放香を持続させることができる。
このような芳香袋はこれまで全く知られておらず、本発明の芳香袋は以下に記載するさまざまな使用態様が考えられる。
【００２８】
（６）芳香袋の使用例
本発明の芳香袋を前記透明なポリプロピレン製単層袋、ポリプロピレン／ポリアミド６多層袋等に挿入して名刺の大きさ程度の放香性カード（フラグランスカード）、キャラクターが描かれた紙にはさみこんだ携帯放香性小物として使用できる。又、本発明の芳香袋をギフト用の包装紙にはさみこんでクリスマスカードと共に前記透明なポリプロピレン製単層袋等に挿入して使用することができる。更に、本発明の芳香袋は便箋又は封筒に挿入して使用することもできる。
【００２９】
【実施例】
本発明を以下の実施例によりさらに具体的に説明するが、本発明はこれらの実施例に限定されるものではない。
実施例１
ゼラチン１０質量部、粉末ソルビトール５０質量部、結晶セルロース５質量部、及びジャスミンの香りを有する１００％天然精油１５質量部を加えて混合物に水２０質量部を添加し、撹拌し打錠により固形状に成形した。次に、８０％ＲＨの加湿処理、７０℃での過熱処理を行ってゼリー状の芳香剤を得た。
該ゼリー状芳香剤０．８ｇを厚み約２０μｍの低密度ポリエチレンの外表面に不織布が融着された薄手の通気性袋（サイズ：５ｃｍ×４ｃｍ）に封入して芳香袋を作製した。該芳香袋を室温下に保存して官能検査を行ったところ、作製後約２カ月間以上放香を持続した。
【００３０】
実施例２
ジャスミンの香りを有する１００％天然精油をスチレン系熱可塑性エラストマー（クラレトレーディング（株）製、商品名：軟質コンパウンド  ＫＴＵ−１００−Ｂ  ）と等量混合して、充分に撹拌し、ゼリー状芳香剤を得た。
該ゼリー状芳香剤１ｇを厚み約２０μｍの低密度ポリエチレンの外表面に不織布が融着された薄手の通気性袋（サイズが４ｃｍ×６ｃｍ）に封入し、開口部をシールして芳香袋を作製した。
該芳香袋を、室温下に保存し、放香の持続性試験を行った。尚、放香の確認は官能検査によった。該芳香袋は、作製後３カ月期間以上放香を持続した。
実施例３
ジャスミンの香りを有する１００％天然精油の代わりに、白檀の香りを有する１００％天然精油を使用した以外は、実施例２と同様に放香の持続性試験を行った。その結果、芳香袋は、作製後３カ月期間以上放香を持続した。
【００３１】
実施例４
実施例２で作製した芳香袋をサイズが１１ｃｍ×９ｃｍの厚手の装飾紙を名刺サイズ（４．５ｃｍ×９ｃｍ）となるように２つに折りたたみ、片面中央部に両面テープを貼り付けた前記芳香袋を中にはさみこんで、３つの開口部を糊づけしてカード形状のフラグランスカードカードを作製した。更に、該フラグランスカードカード形状物を１つの切り込みを有する透明ポリプロピレン製の袋に挿入し、開口部をヒートシールしてフラグランスカードを作成した。
前記カードを作成してから１カ月後、切り込み部を全部開封して放香の持続性試験を行った。その結果、芳香袋は、作製後２．５カ月期間以上放香を持続した。
実施例５
ジャスミンの香りを有する１００％天然精油の代わりに、白檀の香りを有する１００％天然精油を使用した以外は、実施例４と同様に放香の持続性試験を行った。その結果、芳香袋は、作製後２．５カ月期間以上放香を持続した。
【００３２】
実施例６
実施例２で作製したゼリー状芳香剤０．８ｇを厚み約２０μｍの低密度ポリエチレンの外表面に不織布が融着された薄手の通気性袋（サイズが３ｃｍ×５．５ｃｍ）に封入し、開口部をシールして芳香袋を作製した。
キャラクター人形の前後の姿を足の部分を連続させて描いた厚手の紙を、足の部分の形が足の部分と線対称となるように切り取り、次に足の部分を人形の形がかさなるように折り曲げた。該人形形状の内側に前記芳香袋を細い針金で保持・固定し、人形状芳香袋を作製した。次に該人形形状芳香袋をサイズ６ｃｍ×１３ｃｍの模様台紙に貼り付け、粘着シール部を有する透明ポリプロピレン製の袋に挿入し、粘着シール部をシールした。
使用に際し、シール部を開封するとジャスミンの香を感じることができた。
開封したままで、放香の持続性試験を行った。その結果、芳香袋は、作製後２カ月期間以上放香を持続した。
【００３３】
【発明の効果】
本発明の芳香袋は、ゼリー状芳香剤の成分であるゼリー状物質又は熱可塑性エラストマー組成物、及び通気性袋に使用する通気性包装材料を適宜選択することにより、ゼリー状芳香剤中の香料の芳香袋外部への透過度を適度に調節することができ、使用期間中に香りの変化が少なく、かつ従来よりも約１０倍以上の２〜３カ月間という長期間継続して放香を持続することが可能となった。